(57)【要約】【課題】粘着剤等で家具の接地部に固定する接地部用クッション部材は、粘着力が低下、短期間で剥離してしまう。クッション部材を接地部に釘等で打ち込み固定するものは、クッション部材が摩耗して脚の接地部を傷つける。保護護キャップの場合は外観が格好悪くなる。【解決手段】凹型板１と、この凹型板１の下側に固定したクッション材３と、凹型板１の上面に設けられた凹部に着脱可能にはめ合わさる凸型板２と、凸型板２のネジ穴を通じて、この凸型板２を椅子の脚の接地部に固定するネジ４とを備えたこ家具の接地部。【選択図】  図４
2004154293.tif 000002
【特許請求の範囲】
【請求項１】
凹型板と、
この凹型板の下側に固定したクッション材と、
上記凹型板の上面に設けられた凹部に着脱可能にはめ合わさる凸型板と、
上記凸型板のネジ穴を通じて、この凸型板を椅子の脚の接地部に固定するネジとを備えたことを特徴とする家具の接地部用クッション部材。
【発明の詳細な説明】
【０００１】
【発明の属する技術分野】
本発明は、主として椅子のような脚を有する家具の接地部に取り付ける接地部用クッション部材に関する。
【０００２】
【従来の技術】
家具の接地部用クッション部材は椅子の脚に使用されるほか、テーブルなどにも広く使用されている。この接地部用クッション部材には、家具を部屋の中で移動する際にその接地部面で床表面を傷つけないようにする等の機能が要求される。その形態は単純にフエルトを粘着テープで脚の接地部面に装着するものや、特開平第１１−２８６３６１号公報には接地部用クッション部材に繊維のシートを用いて、それ自身は粘着テープで脚の接地部に装着する技術が記載されている。その他、材質にゴムや合成樹脂を用いた脚保護キャップは、底のある筒状を呈したもので、底から開口に向かって、縮径した形状で、使用法としては、脚に嵌着し、密着した形で用いられていた。
【０００３】
【発明が解決しようとする課題】
従来の接地部用クッション部材を使用した場合、いずれも家具の接地部面と床表面との間の緩衝部材質的には問題なく、床表面を傷つけることは回避できたが、次のような解決すべき問題があった。
第１に、家具の中でも特に椅子に限定した場合、毎日頻繁に床面を引きずられるため、クッション部材である繊維のシートやフエルトの摩耗は激しく、新品への交換を余儀なくされたが、クッション部材を椅子の脚の接地部面に固定するための粘着テープは摩擦によって粘着力が弱まり、短期間で接地部用クッション部材は剥離し、粘着剤だけが椅子の脚の接地部面にこびり着き残ってしまい、さらには、それを気付かずに椅子を引きずってしまうと、粘着剤が床表面側にも移り、こびり着いてしまうため、それを綺麗に剥がし新しいクッション部材に取り替える作業は手間も時間も掛かり容易でないと言う問題があった。また、その問題を解決するために接地部用クッション部材を脚の接地部面に釘や爪で打ち込み固定するものもあるが、それも外す作業には道具や腕力が必要であり、数回取り替えているうちに脚の接地部面の釘穴は広がり痛み、脚先端部を傷つけ長期的には装着出来なくなってしまう問題があった。
第２に、脚保護キャップは簡便で扱い易いものであるが、最近はインテリア性あふれるモダンな椅子やテーブルが多く、その脚の先端に脚保護キャップ等を装着すると、外観上とても格好悪く見えてしまうし、また、製品製造者側にとって脚保護キャップ型のものは装着する椅子等の脚先部の大きさや形状に合わせて脚先型を何種類も製造しなければならないため生産効率が悪いと言う問題があった。
【０００４】
本発明は以上の課題を解決するためになされたもので家具の接地部とクッション部材を固定する方法を改良した接地部用クッション部材を提供することを目的とするものである。
【０００５】
【課題を解決するための手段】
次項に説明する実施の形態によって実現される発明は、それぞれ次のような構成をしている。
〈構成１〉
凹型板と、この凹型板の下側に固定したクッション材と、上記凹型板の上面に設けられた凹部に着脱可能にはめ合わさる凸型板と、上記凸型板のネジ穴を通じて、この凸型板を椅子の脚の接地部に固定するネジとを備えたことを特徴とする家具の接地部用クッション部材。
【０００６】
凹型板の下側に固定したクッション材は、フェルトやゴム等の床を傷つけない材料である。凹型板は、上面に凸型板を着脱可能にはめ合わせるための凹部を備える。凸型板はネジにより、椅子の脚の接地部に固定される。クッション材が摩耗したときは、凸型板と凹型板とを分離して、クッション材とともに、凹型板を交換する。
【０００７】
【発明の実施の形態】
以下、本発明の実施の形態を具体例を挙げながら詳細に説明する。なお、構成１、構成２といった構成番号と下記の具体例１、具体例２といった具体例番号とは、特に関連性は無く、必ずしも対応していない。
【０００８】
〈具体例１〉
図１は具体例１の家具の接地部用クッション部材の斜視図である。
１．凹型板
２．凸型板
３．フエルト
図において、全体は円盤状の円筒形であり、凹型板１とフエルト３は一体化されており、凸型板２は凹型板１の上面のくぼみにはめ込まれている。
図２は図１に示した凸型板２を凹型板１から外したところを上から見た上面図とそれをＡ−Ａ′線に沿って切断したところを示す断面図である。尚、図において凹型板２の凸型板１がはめ込まれる部分の形状は分かりやすい様に拡大して描いてある。
図３は凸型板２の上面図、及び斜視図である。
図４は本発明の家具の接地部用クッション部材のフエルト３と一体化した凹型板１と、それにはめ込められる凸型板２と、その凸型板２を家具の接地面に固定するための木ネジ４を外した状態の各部品構成を示した斜視図である。
図５は本発明に係る家具の接地部クッション部材を家具の脚の接地部面に装着した時の断面図である。図において、凸型板２は木ネジ４を用いて家具の脚の接地部面に固定され、それにフエルト３が一体となった凹型板１が、そのくぼみにはめ込まれる形で脚の接地部に装着される。尚、凸型板２と凹型板１は何回でも着脱可能な材質構造を持っている。
〈具体例２〉
図６は具体例１以外の形状をした具体例２の家具の接地部用クッション部材の斜視図である。図に示した様、全体の形状が三角形、四角形等、その他多角形も有効である。
〈具体例３〉
図７は前述の図１に示してきた形態の他に、簡易型としてフエルト本体を家具の脚の接地部面に直に木ネジで装着するタイプの斜視図である。
図８は図５と同様に上記のものを脚の接地部面に装着したときの断面図である。
６  フエルト
７  薄板
８  木ネジ
９  家具の脚先端部
フエルト６はドーナツ状の形状をしており、合成樹脂で出来た薄板７とは一体化していて、それを木ネジ８を用いて直に脚の接地部面に固定するものである。このタイプの特徴はフエルト６が摩耗して薄くなってきた時でも木ネジ８の頭で床表面を傷つけない様に薄板７の木ネジ８を通す穴が木ネジの頭を隠す様に凹んでいる所である。
【０００９】
本発明に係る家具の接地部用クッション部材の材質において、凸型板２は、木ネジで締め付けた時、凸型板２本体の強度を持たせるために硬質プラスチック系や金属類を使用することも可能である。また凹型板２は、着脱し易くするためにポリエチレン、ポリプロピレン、ポリスチレンなどのビニル樹脂などの軟質プラスチック系が使用可能である。
【００１０】
【発明の効果】
このようにして、本発明の家具の接地部用クッション部材は、家具の移動に際し、家具の接地部と床表面の摩擦や衝撃により生ずる音や振動音の発生を防止し、床表面の上を接地部が滑り易くして、フローリング、畳やカーぺットなどの床表面を傷つけることなく、家具の移動を容易にするのである。また、摩耗の激しいフエルト部も粘着剤、両面粘着テープ等を使用せずに固定出来るので、接地面部及び床表面にこびり付いた不愉快且つ、面倒な粘着剤の剥離作業が無くなり、フエルトが摩耗した際には容易に半永久的且つ、どこも汚さずに新品のフエルトと交換できるようになった。また、交換時にはフエルトと一体の凹型板１だけでいいので、経済的であるし、家具の脚の接地部面積より小さくすれば外観からは見えにくくなりモダンな椅子やテーブルのインテリア性も損なわない。
【図面の簡単な説明】
【図１】具体例１の接地部用クッション部材本体の斜視図である。
【図２】凹型板２とそれと一体のフエルト３の断面図、及び上面図である。
【図３】凸型板２の斜視図、及び上面図である。
【図４】具体例１のクッション部材を接地面に取り付ける時の配置関係を示した斜視図である。
【図５】具体例１のクッション部材を接地部面に取り付けた時の断面図である。
【図６】具体例２の斜視図である。
【図７】具体例３の斜視図である。
【図８】具体例３のクッション部材を接地部面に取り付けた時の断面図である。
【符号の説明】
１  凹型板
２  凸型板
３  フエルト
４  木ネジ
５  家具の脚先部
６  フエルト
７  薄板
８  木ネジ
９  家具の脚先部
【図１】
2004154293.tif 000003
【図２】
2004154293.tif 000004
【図３】
2004154293.tif 000005
【図４】
2004154293.tif 000006
【図５】
2004154293.tif 000007
【図６】
2004154293.tif 000008
【図７】
2004154293.tif 000009
【図８】
2004154293.tif 000010